(57)【要約】【課題】  おむつカバーの容易な取り付け構造と無理のない装着感を実現すると共に、面ファスナーの接着力を長期に渡って維持して、確実な装着感を得るおむつカバーの止着構造を提供する。【解決手段】  腰の後ろ側を被覆する腰当て部１と、その腰当て部１から前方に延びる股当て部４と、その股当て部４からさらに前方に延びる前当て部５と、前記腰当て部１の左右に延びる腰回り部２とを有し、前記左右の腰回り部２を後方から前方に回して腰回りを締め、その左右に回した腰回り部２と、前方に回した前当て部５を止着して装着するおむつカバーにおいて、前記腰回り部２の先端に止着片３を配置し、止着片３に面ファスナー等からなる止着部９を数ヶ所に配置し、止着部９と止着部９の間に切り込みを形成し、その切り込み１０により止着部９同士の間隔を調整可能とした。【選択図】        図１
2005111119.tif 000002
【特許請求の範囲】
【請求項１】
腰の後ろ側を被覆する腰当て部と、その腰当て部から前方に延びる股当て部と、その股当て部からさらに前方に延びる前当て部と、前記腰当て部の左右に延びる腰回り部とを有し、前記左右の腰回り部を後方から前方に回して腰回りを締め、その左右に回した腰回り部と、前方に回した前当て部を止着して装着するおむつカバーにおいて、
前記腰回り部の先端に止着片を配置し、止着片に面ファスナー等からなる止着部を数ヶ所に配置し、止着部と止着部の間に切り込みを形成し、その切り込みにより止着部同士の間隔を調整可能としたことを特徴とするおむつカバー。
【請求項２】
前記止着片の基部を内側へ折り曲げ、その折り曲げ縁を縫い合わせて折れ目を形成し、その折れ目より自然に内側へ折り畳み可能とし、止着片を折り畳んだ場合に止着部が内側へ固定されることを特徴とする請求項１記載のおむつカバーの止着構造。
【請求項３】
前記止着片の基部を面ファスナーによって固定し、その面ファスナーにより、止着片と本体を着脱自在としたことを特徴とする請求項１記載のおむつカバー。
【請求項４】
腰の後ろ側を被覆する腰当て部と、その腰当て部から前方に延びる股当て部と、その股当て部からさらに前方に延びる前当て部と、前記腰当て部の左右に延びる腰回り部とを有し、前記左右の腰回り部を後方から前方に回して腰回りを締め、その左右に回した腰回り部と、前方に回した前当て部を止着して装着するおむつカバーにおいて、
前記前当て部の左右両縁に雄面ファスナーからなる止着縁を配置し、その止着縁の基部を内側へ折り曲げ、その折り曲げ縁を縫い合わせて折れ目を形成し、その折れ目より自然に内側へ折り畳み可能とし、止着縁を折り畳んだ場合に止着縁が内側へ固定されることを特徴とするおむつカバー。
【請求項５】
腰の後ろ側を被覆する腰当て部と、その腰当て部から前方に延びる股当て部と、その股当て部からさらに前方に延びる前当て部と、前記腰当て部の左右に延びる腰回り部とを有し、前記左右の腰回り部を後方から前方に回して腰回りを締め、その左右に回した腰回り部と、前方に回した前当て部を止着して装着するおむつカバーにおいて、
前当て部と腰回り部との止着部分に面ファスナーを使用し、雄面ファスナーを基布上の数ヶ所に固定し、その基布部分を本体から取り外し可能とし、基布部分から取り替え可能としたことを特徴とするおむつカバー。
【請求項６】
腰の後ろ側を被覆する腰当て部と、その腰当て部から前方に延びる股当て部と、その股当て部からさらに前方に延びる前当て部と、前記腰当て部の左右に延びる腰回り部とを有し、前記左右の腰回り部を後方から前方に回して腰回りを締め、その左右に回した腰回り部と、前方に回した前当て部を止着して装着するおむつカバーにおいて、
前記腰回り部の先端に雌面ファスナーからなる止着片を配置し、その止着片の基部に切り取り線を形成し、その切り取り線から切断して、先端部分を取り替え可能としたことを特徴とするおむつカバー。
【発明の詳細な説明】
【技術分野】
【０００１】
本発明はおむつカバーの止着構造に関するものである。
【背景技術】
【０００２】
従来より、幼児、高齢者、病人、身体障害者用として、中に吸水性シートを収容したおむつカバー、使い捨てのおむつや布おむつ等が使用されている。
このようなおむつカバーの一例として、図７の展開図に示すように、おむつカバーは全体としてほぼＴ字状を呈している。そしてこのおむつカバーの構成は、本体部５０と、該本体部５０の上部両側方からそれぞれ延び、腰部、腹部を押さえる翼状の止着片５１とを備えている。この本体部５０は、その上部に形成された腰当て部５２と、前記腰当て部から垂下するように腰当て部に連設された股当て部５３と、この股当て部５３から一体に垂下設された前当て部５４とから構成されている。
【０００３】
おむつカバーを装着する際には、使用者の腰の後ろ側に腰当て部５２をあてがい、前当て部５４を使用者の下腹部の前面を覆うようして前方に回し、そして、側方から回した腰回り部の止着片５１を重ね合わせて止着し、その上から前当て部５４を合わせて面ファスナー５５で止着する。このようにして装着したおむつカバーは、使用者のおむつの外側を覆って、尿等が外部に漏れることを防止する。
【０００４】
そして、このようなおむつカバーに関する技術として特開２００３−１９０２１３号公報記載の技術が知られている。
【特許文献１】特開２００３−１９０２１３号公報
【発明の開示】
【発明が解決しようとする課題】
【０００５】
ところで、これらのおむつカバーは、便や尿漏れを防ぎ、内部が蒸れないこと、運動の妨げにならないこと、着用感がよいこと、軽量であること等の条件を備えることが必要である。そして、おむつの使用者にとっては、柔軟で肌触りがよいことが求められる一方、おむつの外側を覆って、尿等が外部に漏れることを防止するものであるため、おむつのずれを防止して確実に装着するものでなければならない。
そのため、おむつはゴム紐等による伸縮部を備えて、体形に柔軟に対応できる構成となっている。
しかしながら、このようなおむつカバーであっても、使用時には、体位の変化によって、特定の部位に応力が集中して、ずれが生じるという問題があった。
【０００６】
また、おむつカバーの多くは面ファスナーによって止着使用する構造となっているが、この面ファスナーによる止着部分の強い締め付けや、ごわごわ感により、装着時の違和感が生じてしまう。
また、面ファスナーはその構造上、長期に渡って使用すると、フック面の目詰まりや、起毛面の劣化等が生じ、使用・洗濯を繰り返すうちに、接着力が低下するという問題がある。
【０００７】
本発明はかかる従来の問題点を解決するためになされたものであって、その目的とするところは、おむつカバーの容易な取り付け構造と無理のない装着感を実現すると共に、面ファスナーの接着力を長期に渡って維持して、確実な装着感を得るおむつカバーの止着構造を提供することにある。
【課題を解決するための手段】
【０００８】
前記目的を達成するための手段として請求項１記載のおむつカバーの止着構造では、      腰の後ろ側を被覆する腰当て部と、その腰当て部から前方に延びる股当て部と、その股当て部からさらに前方に延びる前当て部と、前記腰当て部の左右に延びる腰回り部とを有し、前記左右の腰回り部を後方から前方に回して腰回りを締め、その左右に回した腰回り部と、前方に回した前当て部を止着して装着するおむつカバーにおいて、前記腰回り部の先端に止着片を配置し、止着片に面ファスナー等からなる止着部を数ヶ所に配置し、止着部と止着部の間に切り込みを形成し、その切り込みにより止着部同士の間隔を調整可能とした。
【０００９】
請求項２記載のおむつカバーの止着構造では、請求項１記載のおむつカバーの止着構造において、前記止着片の基部を内側へ折り曲げ、その折り曲げ縁を縫い合わせて折れ目を形成し、その折れ目より自然に内側へ折り畳み可能とし、止着片を折り畳んだ場合に止着部が内側へ固定される構成とした。
【００１０】
請求項３記載のおむつカバーの止着構造では、請求項１記載のおむつカバーの止着構造において、前記止着片の基部を面ファスナーによって固定し、その面ファスナーにより、止着片と本体を着脱自在とした。
【００１１】
請求項４記載のおむつカバーの止着構造では、腰の後ろ側を被覆する腰当て部と、その腰当て部から前方に延びる股当て部と、その股当て部からさらに前方に延びる前当て部と、前記腰当て部の左右に延びる腰回り部とを有し、前記左右の腰回り部を後方から前方に回して腰回りを締め、その左右に回した腰回り部と、前方に回した前当て部を止着して装着するおむつカバーにおいて、前記前当て部の左右両縁に雄面ファスナーからなる止着縁を配置し、その止着縁の基部を内側へ折り曲げ、その折り曲げ縁を縫い合わせて折れ目を形成し、その折れ目より自然に内側へ折り畳み可能とし、止着縁を折り畳んだ場合に止着縁が内側へ固定される構成とした。
【００１２】
請求項５記載のおむつカバーの止着構造では、腰の後ろ側を被覆する腰当て部と、その腰当て部から前方に延びる股当て部と、その股当て部からさらに前方に延びる前当て部と、前記腰当て部の左右に延びる腰回り部とを有し、前記左右の腰回り部を後方から前方に回して腰回りを締め、その左右に回した腰回り部と、前方に回した前当て部を止着して装着するおむつカバーにおいて、前当て部と腰回り部との止着部分に面ファスナーを使用し、雄面ファスナーを基布上の数ヶ所に固定し、その基布部分を本体から取り外し可能とし、基布部分から取り替え可能とした。
【００１３】
請求項６記載のおむつカバーの止着構造では、腰の後ろ側を被覆する腰当て部と、その腰当て部から前方に延びる股当て部と、その股当て部からさらに前方に延びる前当て部と、前記腰当て部の左右に延びる腰回り部とを有し、前記左右の腰回り部を後方から前方に回して腰回りを締め、その左右に回した腰回り部と、前方に回した前当て部を止着して装着するおむつカバーにおいて、前記腰回り部の先端に雌面ファスナーからなる止着片を配置し、その止着片の基部に切り取り線を形成し、その切り取り線から切断して、先端部分を取り替え可能とした。
【発明の効果】
【００１４】
請求項１記載のおむつカバーの止着構造においては、止着片に面ファスナー等からなる止着部を数ヶ所に配置し、止着部と止着部の間に切り込みを形成し、その切り込みにより止着部同士の間隔を調整可能としたので、ある程度の幅を持って、止着片を固定することができる。そのため、無理な締め付け感がなく、体にフィットする。
請求項２記載のおむつカバーの止着構造においては、止着片の基部を内側へ折り曲げ、その折り曲げ縁を縫い合わせて折れ目を形成し、その折れ目より自然に内側へ折り畳み可能とし、洗濯時には止着片を折り畳んだ場合に止着部が内側へ固定することができ、からまりと摩擦による面ファスナーの傷みを防止することができる。
請求項３記載のおむつカバーの止着構造においては、止着片の基部を面ファスナーによって固定し、その面ファスナーにより、止着片と本体を着脱自在としたので、洗濯時には止着片を取り外して面ファスナーの傷みを防止することができる。
請求項４記載のおむつカバーの止着構造においては、前当て部の左右両縁に雄面ファスナーからなる止着縁を配置し、その止着縁の基部を内側へ折り曲げ、その折り曲げ縁を縫い合わせて折れ目を形成し、その折れ目より自然に内側へ折り畳み可能としたので、洗濯時には止着片を折り畳んだ場合に止着部が内側へ固定することができ、からまりと摩擦による面ファスナーの傷みを防止することができる。
請求項５記載のおむつカバーの止着構造においては、前当て部と腰回り部との止着部分に面ファスナーを使用し、雄面ファスナーを基布上の数ヶ所に固定し、その基布部分を本体から取り外し可能とし、基布部分から取り替え可能としたので、面ファスナーの接着力が低下した場合には、基布部分から一体として容易に取り替えることができる。
請求項６記載のおむつカバーの止着構造においては、腰回り部の先端に雌面ファスナーからなる止着片を配置し、その止着片の基部に切り取り線を形成し、その切り取り線から切断して、先端部分を取り替え可能としたので、面ファスナーの接着力が低下した場合には取り替えて、接着力を回復することができる。
【発明を実施するための最良の形態】
【００１５】
以下、図面に基づいて本発明のおむつカバーの止着構造を実現する最良の形態を説明する。
【実施例１】
【００１６】
図１は第１実施例に係るおむつカバーの展開図、図２は同止着片の裏側の斜視図、図３は同装着時の正面図である。
第１実施例に係るおむつカバーは図１に示すように、展開状態において、全体がほぼＴ字状を呈しており、その本体の中央付近に位置する腰当て部１と、この腰当て部１の両サイドからそれぞれ翼状に延びるように、この腰当て部１に連設された左右の腰回り部２と、腰回り部の先方に備えられた止着片３と、前記腰当て部１から垂下するように一体に連設された股当て部４と、この股当て部４から一体に垂下設された前当て部５とを備えている。
【００１７】
おむつカバーの本体部にある腰当て部１、股当て部４、前当て部５は一体に形成されている。腰当て部１は、おむつカバーを装着すると、腰の後ろあたりをカバーする部分である。股当て部４は腰部に続く股間領域を覆うようになっており、展開状態ではその両サイド部は内側に緩い曲線を描くような形状を呈している。前当て部５は、股間に続く下腹部から、ウエストあたりまでを覆うようになっており、その上部の両サイドは股当て部からやや拡幅している。
また、おむつカバーの股当て部４の両縁には湾曲したライン６ａに沿ってゴムが縫い込まれている。このゴムは収縮した状態で上端を絞り、ひだ（ギャザー）を形成してダム部６となっている。このゴムは股当て部から本体の上端まで達し、ダム部６が股当て部から腰回り部に掛けて形成されている。このダム部６は排泄物の横漏れを防止すると共に、左右のダム部６の間に吸収パット（おむつ）を挟み込み、おむつを保持する機能を備えている。すなわち、おむつがダム部６の間にカセット式に嵌め込まれてずれが防止される。
【００１８】
これら腰当て部１、股当て部４、前当て部５からなる被覆布部は、表側が防水素材として、例えばポリエステル１００パーセントのエステルムースでなり、表面及び裏面は起毛面によって形成され、雄面ファスナーが接着可能な表面処理がなされている。一方止着片３の先端にはフック面からなる雄面ファスナー７が取り付けられており、この雄面ファスナー７が本体表面（前当て部５）の起毛面に接着するようになっている。
【００１９】
前記止着片の先端は２つに分かれて蝶の羽のような２枚の片が形成され、それぞれの２枚の片の内側に雄面ファスナーが縫着され止着部９が形成されている。この止着部９は中央の切り込み１０により分離され、この切り込み１０によって互いにある程度の幅をもって独立して接着できるようになっている。
このように分離していることにより、使用者の体形に応じて、柔軟に止着することができると共に、一方がはがれても他方はそれに連動せずに止着を維持する。
【００２０】
また、止着片３の付け根部分（基部）は縦に折り曲げられており、その折り曲げ縁８が図２に示すように縁１１を残して縫い合わされている。これにより、止着片３は折り曲げ縁８から内側へ自然に折り曲がるように形成され、折り曲がった後は雄面ファスナーが内側の本体に接着固定される。
これは本体が雌面ファスナーによって構成されているためであり、止着片３は１８０度折り曲がった位置で雄面ファスナー７が本体に接着する。
この止着部９が内側に接着固定されることにより、洗濯時の雄面ファスナーの損傷と、洗濯物のからまりを防止する。
一方、折り曲げ縁８が縫い合わされていることにより、この折り曲げ縁８のラインに止着部９からの応力が集約し、おむつカバーの後方への締め付け力を一定して後部に伝達する構成となっている。
【００２１】
第１実施例のおむつカバーを装着するときには、図３に示すように、腰当て部１を腰にあてがい、腰回り部２を前方に回し、前当て部５を股間領域を経由して前方に回し、前方で止着片３を前当て部５の表に止着する。
ここで、腰回り部２の先端にはフック面からなる雄面ファスナー７が、前当て部の起毛面に止着される。これにより、身体の腹から股を経て尻に到る部分を包み込んでおむつを装着することができる。
ここで、止着片３の先端が二つに分かれているので、止着幅に余裕が生じ、サイズ調整と取り付けが容易となる。また、装着した後は切り込みが柔軟に伸縮し、体位の変化に無理なく対応する。また、体位の動きに従って伸縮するので、止着部が外れ難い構成となる。
【実施例２】
【００２２】
次に図４は第２実施例に係るおむつカバーの止着構造の止着片の説明図である。
第２実施例に係るおむつカバーは第１実施例のおむつカバーにおいて、本体と止着片を着脱自在とした構成である。
図４に示すように、腰回り部２の先端に起毛面からなる雌面ファスナー１５を縫製により取り付け、一方、止着片３の基部の内側に雄面ファスナー１６を取り付ける。
すると、本体から止着片３を面ファスナー１５，１６によって着脱自在とすることができる。
このように、止着片３を着脱自在としたことにより、前記第１実施例から得られる効果に加えて、洗濯時には止着片を取り外して、止着片の面ファスナー７の損傷と、洗濯物のからまりを防止することができる。
【実施例３】
【００２３】
第３実施例に係るおむつカバーは図５に示すように、腰回り部２を前方に回した後に、その上から前当て部５を当てがい、前当て部５の左右の縁に配置された雄面ファスナー（止着縁２０）を腰回り部２の上に止着する構成である。
止着縁２０の雄面ファスナー７は基布２２上の３ヶ所に縫着され、基布２２は本体に縫着されている。そのため、この基布２２部分を取り替えることにより、一体として３個の雄面ファスナー７の交換が可能となり、劣化した雄面ファスナーの交換が容易となっている。
使用により面ファスナー接着力が低下した場合には、基布２２部分から取り外して新しい面ファスナーと交換することができる。
この基布２２は本体表面に縫着する場合の他、本体の縁に接続して、本体と基布２２の接続ラインをハサミ等で切断して取り替える構成とすることも可能である。
【００２４】
また、止着片３の根元には切り取り線２１が形成され、切り取り線２１から切り離して、新しい面ファスナーと交換できるようになっている。
この止着片３は起毛面からなる雌面ファスナーであるが、切り取った後はミシン等による縫製により新規の面ファスナーを取り付ける。
使用により面ファスナーの接着力が低下した場合には、切り取り線２１から分離して新しい面ファスナーと交換する。
【実施例４】
【００２５】
第４実施例に係るおむつカバーは図６に示すように、腰回り部２を前方に回した後に、その上から前当て部５を当てがい、前当て部５の左右の縁に配置された雄面ファスナー（止着縁２０）を腰回り部２の上に止着する構成である。
止着縁２０の基部は第１実施例の止着片と同様に縦に折り曲げられており、折り曲げ縁８が縁１１を残して縫い合わされている。これにより、止着縁２０は折り曲げ縁８から内側へ自然に折り曲がるように形成され、折り曲がった後は雄面ファスナーが内側の本体に接着固定される。
これは前当て部５の内側が雌面ファスナーによって構成されているためであり、止着縁２０は１８０度折り曲がった位置で雄面ファスナー７が本体に接着する。
この止着縁２０が内側に接着固定されることにより、洗濯時の雄面ファスナーの損傷と、洗濯物のからまりを防止する。
【００２６】
以上、本発明の実施例を説明したが、具体的な構成は前記実施例に限定されるものではなく、発明の要旨を逸脱しない範囲の設計変更等があっても本発明に含まれる。
例えば、前記実施例で説明した止着片の切り込みは一ヶ所に限らず、複数の切り込みを形成し、それに応じて止着部を多数形成する構成としても良い。
【図面の簡単な説明】
【００２７】
【図１】第1実施例に係るおむつカバーの展開図である。
【図２】同止着片の裏側の斜視図である。
【図３】同装着時の正面図である。
【図４】第２実施例に係るおむつカバーの止着片の説明図である。
【図５】第３実施例に係るおむつカバーの正面図である。
【図６】第４実施例に係るおむつカバーの正面図である。
【図７】従来例に係るおむつカバーの展開図である。
【符号の説明】
【００２８】
１  腰当て部
２  腰回り部
３  止着片
４  股当て部
５  前当て部
６  ダム部
６ａ  ライン
７  雄面ファスナー
８  折り曲げ縁
９  止着部
１０  切り込み
１１  縁
１５  雌面ファスナー
１６  雄面ファスナー
２０  止着縁
２１  切り取り線
２２  基布  
【図１】
2005111119.tif 000003
【図２】
2005111119.tif 000004
【図３】
2005111119.tif 000005
【図４】
2005111119.tif 000006
【図５】
2005111119.tif 000007
【図６】
2005111119.tif 000008
【図７】
2005111119.tif 000009